(57)【要約】【課題】電気白熱ランプであって、透光性のランプ容器（１）の内部に配置された白熱フィラメント（３）と該白熱フィラメント（３）のための給電部（４，５）とが設けられており、給電部（４，５）のための支持手段が設けられている形式のものにおいて、高められた耐振動性を有する電気白熱ランプを提供する。【解決手段】支持手段が、少なくとも１つの給電部（５）のための少なくとも１つのストラット（８）の形で形成されているようにした。【選択図】図１
2006066393.tif 000002
【特許請求の範囲】
【請求項１】
電気白熱ランプであって、透光性のランプ容器（１）の内部に配置された白熱フィラメント（３）と該白熱フィラメント（３）のための給電部（４，５）とが設けられており、給電部（４，５）のための支持手段が設けられている形式のものにおいて、支持手段が、少なくとも１つの給電部（５）のための少なくとも１つのストラット（８）の形で形成されていることを特徴とする、電気白熱ランプ。
【請求項２】
一方の端部にベース（２）が設けられている、請求項１記載の電気白熱ランプにおいて、白熱フィラメント（３）が、ベースに近い方のフィラメント出口（３１）とベースから離れている方のフィラメント出口（３２）とを有しており、該フィラメント出口（３１，３２）が、それぞれ１つの給電部（４，５）に接続されており、少なくともベースから離れている方のフィラメント出口（３２）に接続された給電部（５）に、少なくとも１つのストラット（８）が設けられている、請求項１記載の電気白熱ランプ
【請求項３】
ベースから離れている方のフィラメント出口（３２）に接続された給電部（５）に、ストラット（８）が設けられており、該ストラット（８）が、少なくとも３つの点で給電部（５）に結合されている、請求項２記載の電気白熱ランプ。
【請求項４】
少なくとも１つのストラット（８）が、少なくとも２つの点で、少なくとも１つの給電部（５）に結合されている、請求項１又は２記載の電気白熱ランプ。
【請求項５】
少なくとも１つのストラット（８）が、ワイヤの形で形成されている、請求項１から４までのいずれか１項記載の電気白熱ランプ。
【発明の詳細な説明】
【技術分野】
【０００１】
本発明は、電気白熱ランプであって、透光性のランプ容器の内部に配置された白熱フィラメントと該白熱フィラメントのための給電部とが設けられており、給電部のための支持手段が設けられている形式のものに関する。
【背景技術】
【０００２】
このような白熱ランプが、例えばドイツ連邦共和国特許公開第２１０５１５５号明細書に開示されている。この明細書は、投影目的のためのハロゲン白熱ランプについて記載しており、このハロゲン白熱ランプの白熱フィラメントは給電部に接続されており、この給電部はそれぞれ支持体により取り囲まれている。この支持体の端部は、それぞれランプ容器のシールされた端部内に埋め込まれている。前記支持体はコイルの形で形成されている。このような支持体によっては、車両ヘッドライトに使用される白熱ランプのための十分な耐振動性が得られないことが示されている。
【特許文献１】ドイツ連邦共和国特許公開第２１０５１５５号明細書
【発明の開示】
【発明が解決しようとする課題】
【０００３】
そこで本発明の課題は、高められた耐振動性を有する電気白熱ランプを提供することである。
【課題を解決するための手段】
【０００４】
この課題は、支持手段が、少なくとも１つの給電部のための少なくとも１つのストラットの形で形成されていることにより解決される。本発明の特に有利な構成が従属請求項に記載されている。
【発明の効果】
【０００５】
本発明による電気白熱ランプは、透光性のランプ容器の内部に配置された白熱フィラメントと、この白熱フィラメントのための給電部とを有しており、この場合に、少なくとも１つの給電部には少なくとも１つのストラットが設けられている。少なくとも１つのストラットが、従来技術によるコイルの形で形成された支持体とは反対に、ストラットを設けられた給電部の補強をもたらす。例えば、湾曲された、又は折り曲げられた給電区分が少なくとも１つのストラットによりブリッジされる。これにより、振動の場合に白熱フィラメントの、平衡位置からの変位の度合が減じられ、白熱ランプの耐振動性が高められる。
【０００６】
一方の端部にベースが設けられており、かつ白熱フィラメントがベースに近い方のフィラメント出口とベースから離れている方のフィラメント出口とを有している、白熱ランプ、例えば自動車ヘッドライトランプにおいて、有利には少なくともベースから離れている方のフィラメント出口に接続された給電部に少なくとも１つのストラットが設けられている。なぜならば、前記給電部は、比較的大きい長さに基づき比較的わずかな耐振動性を有しているからである。本発明の有利な実施例によれば、前記給電部にはストラットが設けられており、このストラットは少なくとも３つの点でベースから離れた給電部に結合されている。
【０００７】
少なくとも１つの給電部の十分な補強をもたらすためには、少なくとも１つのストラットが少なくとも２つの点で少なくとも１つの給電部に結合されている。少なくとも１つのストラットは、有利にはワイヤの形で形成されており、これにより、ストラットにより光に陰影がもたらされることが許容限界内に保持される。
【発明を実施するための最良の形態】
【０００８】
次に本発明の実施の形態をさらに詳しく説明する。
【０００９】
図１に示した本発明による白熱ランプは、自動車ヘッドライトのためのハロゲン白熱ランプ、特にＨ７ランプである。このランプはガラスの、ほぼ円筒状のランプ容器１を有しており、このランプ容器１の一方の端部には金属のベース２が設けられている。ランプ容器１の内部には軸線方向に配向されたコイル状の白熱フィラメント３が配置されており、この白熱フィラメント３の、モリブデン管片３０１，３０２により取り囲まれたフィラメント出口３１，３２が、それぞれ給電ワイヤ４，５に溶接されている。これらの両方の給電ワイヤ４，５はそれぞれベース２の電気的な接続部６，７に電気伝導性に接続されている。ベースから離れている方のフィラメント出口３２に結合された給電ワイヤ５にはストラット８が設けられており、このストラット８は、３つの点で給電ワイヤ５に溶接されている。ストラット８も給電ワイヤ５も０．７ｍｍの厚さを有するモリブデンワイヤの形で形成されている。ストラット８は給電ワイヤ５の折り曲げられた複数の区分５１，５２，５３をブリッジし、これにより、給電ワイヤ５の補強をもたらす。ストラット８は直角に折り曲げられた２つの端部を有しており、これらの端部は、給電ワイヤ５の区分５１若しくは５３に溶接されている。さらにストラット８は給電ワイヤ５の区分５１と区分５２との間の移行領域にも溶接されている。
【００１０】
本発明は、上に詳細に説明した実施例に限定されるものではない。例えばベースに近い方のフィラメント出口３１に結合された給電ワイヤ４にストラットが設けられていてもよく、このストラットは、給電ワイヤ４の折り曲げられた区分をブリッジする。ストラット８と給電ワイヤ４，５とは０．７ｍｍよりもわずかな厚さ、例えばわずか０．６４５ミリメートルの厚さを有していてもよい。しかしながら、さらにストラット８は給電ワイヤ５とは異なる厚さを有していてもよい。ストラット８の厚さ若しくは直径のためには、０．１ミリメートル〜１．０ミリメートルまでの範囲の値が考慮される。
【図面の簡単な説明】
【００１１】
【図１】本発明の有利な実施例による白熱ランプの概略的な側面図である。
【図２】図１に示した白熱ランプの白熱フィラメントと給電部とストラットとを示す側面図である。
【符号の説明】
【００１２】
１  ランプ容器、  ２  ベース、  ３  白熱フィラメント、  ４，５  給電ワイヤ、  ６，７  接続部、  ８  ストラット、  ３１，３２  フィラメント出口、  ５１，５２，５３  区分、  ３０１，３０２  モリブデン管片
【図１】
2006066393.tif 000003
【図２】
2006066393.tif 000004